(57)【要約】      （修正有）【課題】プレビュー画像に対する簡単な操作で輪郭形状が複雑な領域を画像処理すべき対象領域として指定することが可能な画像処理装置を提供する。【解決手段】画像処理装置において、表示処理部は、画像データに対応するプレビュー画像を、当該プレビュー画像を複数の小領域Ａ１に区切る区切り線Ｌｘ，Ｌｙと共に操作表示部に表示させる。選択処理部は、小領域Ａ１各々に対する選択操作に応じて小領域Ａ１を個別に選択状態に設定する。決定処理部は、選択状態に設定されている一又は複数の小領域Ａ１から成る対象領域に対する処理内容を決定する。画像処理部は、決定処理部により決定される処理内容に応じて前記画像データを処理する。【選択図】図４
2019114933.tif 000002
【特許請求の範囲】
【請求項１】
操作表示部と、
画像データを取得する取得処理部と、
前記画像データに対応するプレビュー画像を、当該プレビュー画像を複数の小領域に区切る区切り線と共に前記操作表示部に表示させる表示処理部と、
前記小領域各々に対する選択操作に応じて前記小領域を個別に選択状態に設定する選択処理部と、
選択状態に設定されている一又は複数の前記小領域から成る対象領域に対する処理内容を決定する決定処理部と、
前記決定処理部により決定される処理内容に応じて前記画像データを処理する画像処理部と、
を備える画像処理装置。
【請求項２】
予め定められたグループ化操作が行われるごとに、前記グループ化操作が行われた時点において選択状態に設定されている一又は複数の前記小領域から成る領域を１つの対象領域として確定させるグループ化処理部を更に備え、
前記画像処理部は、複数回の前記グループ化操作に応じて複数の前記対象領域が設定されている状態で前記決定処理部により前記処理内容が保存又は印刷に決定された場合に、前記対象領域各々の画像を異なる画像データとして保存又は異なるシートに印刷する、
請求項１に記載の画像処理装置。
【請求項３】
前記表示処理部は、前記グループ化処理部により確定された対象領域に含まれる前記小領域各々を、対象領域ごとに異なる表示態様で表示する、
請求項２に記載の画像処理装置。
【請求項４】
一又は複数の前記小領域が選択状態に設定されている状態で前記小領域のサイズをユーザー操作に応じて変更する変更処理部を更に備える、
請求項１〜３のいずれかに記載の画像処理装置。
【請求項５】
前記小領域の縦及び横のサイズが、２のＮ乗（ただし、Ｎは１以上の任意の整数）個の画素である、
請求項４に記載の画像処理装置。
【請求項６】
前記操作表示部はタッチパネルを含み、
前記選択操作が、前記小領域各々へのタッチ操作である、
請求項１〜５のいずれかに記載の画像処理装置。
【請求項７】
前記決定処理部により決定される処理内容には、複製、移動、削除、保存、印刷、塗り潰し、ぼかし、及び色調変更の少なくとも１つが含まれる、
請求項１〜６のいずれかに記載の画像処理装置。
【発明の詳細な説明】
【技術分野】
【０００１】
本発明は、画像データを処理する画像処理装置に関する。
【背景技術】
【０００２】
複数の区画に分割されたプレビュー画像内の任意の２点をタッチすることによって、当該２点のタッチ位置を対角とする矩形領域と重なる区画及びそれらの区画で囲まれた区画を、画像処理すべき対象領域として指定することが可能な画像処理装置が知られている（例えば、特許文献１参照）。
【先行技術文献】
【特許文献】
【０００３】
【特許文献１】特開２０１４−１６４６８８号公報
【発明の概要】
【発明が解決しようとする課題】
【０００４】
しかしながら、前記画像処理装置では対象領域として矩形の領域しか指定することができず、例えば、ドーナツのように孔の空いた領域、一部の領域と残りの領域とが離れた領域などのように、輪郭形状が複雑な領域を対象領域として指定することができない。
【０００５】
本発明の目的は、プレビュー画像に対する簡単な操作で輪郭形状が複雑な領域を画像処理すべき対象領域として指定することが可能な画像処理装置を提供することにある。
【課題を解決するための手段】
【０００６】
本発明の一の局面に係る画像処理装置は、操作表示部と、取得処理部と、表示処理部と、選択処理部と、決定処理部と、画像処理部とを備える。前記取得処理部は、画像データを取得する。前記表示処理部は、前記画像データに対応するプレビュー画像を、当該プレビュー画像を複数の小領域に区切る区切り線と共に前記操作表示部に表示させる。前記選択処理部は、前記小領域各々に対する選択操作に応じて前記小領域を個別に選択状態に設定する。前記決定処理部は、選択状態に設定されている一又は複数の前記小領域から成る対象領域に対する処理内容を決定する。前記画像処理部は、前記決定処理部により決定される処理内容に応じて前記画像データを処理する。
【発明の効果】
【０００７】
本発明によれば、プレビュー画像に対する簡単な操作で輪郭形状が複雑な領域を画像処理すべき対象領域として指定することが可能な画像処理装置が提供される。
【図面の簡単な説明】
【０００８】
【図１】図１は、本発明の実施形態に係る画像処理装置のシステム構成を示すブロック図である。
【図２】図２は、本発明の実施形態に係る画像処理装置の操作表示部の外観を示す図である。
【図３】図３は、本発明の実施形態に係る画像処理装置で用いられるプレビュー画面の一例を示す図である。
【図４】図４は、本発明の実施形態に係る画像処理装置で用いられるプレビュー画面の一例を示す図である。
【図５】図５は、本発明の実施形態に係る画像処理装置で用いられるプレビュー画面の一例を示す図である。
【図６】図６は、本発明の実施形態に係る画像処理装置で用いられるプレビュー画面の一例を示す図である。
【図７】図７は、本発明の実施形態に係る画像処理装置で用いられるプレビュー画面の一例を示す図である。
【図８】図８は、本発明の実施形態に係る画像処理装置で用いられるプレビュー画面の一例を示す図である。
【図９】図９は、本発明の実施形態に係る画像処理装置で用いられるプレビュー画面の一例を示す図である。
【図１０】図１０は、本発明の実施形態に係る画像処理装置から出力されるシートの例を示す図である。
【図１１】図１１は、本発明の実施形態に係る画像処理装置で用いられるプレビュー画面の一例を示す図である。
【図１２】図１２は、本発明の実施形態に係る画像処理装置で用いられるプレビュー画面の一例を示す図である。
【図１３】図１３は、本発明の実施形態に係る画像処理装置で実行されるプレビュー処理の手順の一例を示すフローチャートである。
【発明を実施するための形態】
【０００９】
以下添付図面を参照しながら、本発明の実施形態について説明し、本発明の理解に供する。なお、以下の実施形態は、本発明を具体化した一例であって、本発明の技術的範囲を限定するものではない。
【００１０】
［画像処理装置の構成］
図１に示されるように、本発明の実施形態に係る画像処理装置１は、操作表示部１０、ＡＤＦ（Ａｕｔｏ  Ｄｏｃｕｍｅｎｔ  Ｆｅｅｄｅｒ）１１、画像読取部１２、画像形成部１３、通信Ｉ／Ｆ１４、記憶部１５、及び制御部１６を備える。具体的に、画像処理装置１は、プリンター機能、スキャナー機能、コピー機能、及びファクシミリ機能などを有する複合機である。なお、本発明は、複合機に限らず、コピー機、プリンター、ファクシミリ装置のような任意の画像処理装置に適用可能である。
【００１１】
操作表示部１０は、図２に示されるように、情報を表示する液晶ディスプレーなどの表示部２０と、ユーザー操作を受け付けるタッチパネル２１及び操作ボタン２２などの操作部とを備える。タッチパネル２１は、表示部２０の画面上に設けられ、表示部２０へのタッチ操作を検出可能である。表示部２０には、必要に応じて一又は複数のソフトキー（例えば、後述する複製キーＫ１、移動キーＫ２、削除キーＫ３など）が表示される。
【００１２】
ＡＤＦ１１は、原稿セット部、搬送ローラー、原稿押さえ、及び排紙部を備え、画像読取部１２の読み取り対象となる原稿を搬送する自動原稿搬送装置である。
【００１３】
画像読取部１２は、原稿台、光源、ミラー、光学レンズ、及びＣＣＤ（Ｃｈａｒｇｅ  Ｃｏｕｐｌｅｄ  Ｄｅｖｉｃｅ）を備え、原稿の画像を読み取って画像データとして出力することが可能である。
【００１４】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１５】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１６】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。
【００１７】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
ところで、複数の区画に分割されたプレビュー画像内の任意の２点をタッチすることによって、当該２点のタッチ位置を対角とする矩形領域と重なる区画及びそれらの区画で囲まれた区画を、画像処理すべき対象領域として指定することが可能な画像処理装置が知られている。しかしながら、前記画像処理装置では対象領域として矩形の領域しか指定することができず、例えば、ドーナツのように孔の空いた領域、一部の領域と残りの領域とが離れた領域などのように、輪郭形状が複雑な領域を対象領域として指定することができない。これに対して、本実施形態に係る画像処理装置１では、プレビュー画像に対する簡単な操作で輪郭形状が複雑な領域を画像処理すべき対象領域として指定することが可能である。
【００１９】
具体的に、制御部１６は、取得処理部１６１、表示処理部１６２、選択処理部１６３、決定処理部１６４、画像処理部１６５、グループ化処理部１６６、及び変更処理部１６７を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２０】
取得処理部１６１は、画像データを取得する。例えば、取得処理部１６１は、画像読取部１２によって読み取られた画像データを取得してもよい。もしくは、取得処理部１６１は、記憶部１５に記憶されている画像データを取得してもよい。もしくは、取得処理部１６１は、通信Ｉ／Ｆ１４を通じて外部のファクシミリ装置又はパーソナルコンピューターなどの情報処理装置から画像データを取得してもよい。
【００２１】
表示処理部１６２は、前記画像データに対応するプレビュー画像を、当該プレビュー画像を複数の小領域Ａ１に区切る区切り線Ｌｘ，Ｌｙと共に操作表示部１０に表示させる。例えば、表示処理部１６２は、図３に示されるようなプレビュー画面Ｐ１を操作表示部１０に表示させる。プレビュー画面Ｐ１には、前記画像データに対応するプレビュー画像が表示される。前記プレビュー画像には、横方向に延びる複数の区切り線Ｌｘと縦方向に延びる複数の区切り線Ｌｙとが重ねて表示される。前記プレビュー画像は、これらの区切り線Ｌｘ，Ｌｙによって複数の矩形の小領域Ａ１に区切られる。
【００２２】
プレビュー画面Ｐ１には、小領域Ａ１のサイズを設定又は変更するためのドロップダウンリストＢ１が含まれる。図３の例では、小領域Ａ１のサイズが「１６×１６」に設定されている。この場合、小領域Ａ１のサイズは、縦方向が１６画素、横方向が１６画素に設定される。
【００２３】
プレビュー画面Ｐ１には、複数のソフトキーが含まれる。具体的には、プレビュー画面Ｐ１には、複製キーＫ１、移動キーＫ２、削除キーＫ３、グループ化キーＫ４、グループ解除キーＫ５，保存キーＫ６、及び印刷キーＫ７が含まれる。これらのうちのいずれかのソフトキーが操作されると、操作されたソフトキーに対応する処理が実行される。
【００２４】
選択処理部１６３は、小領域Ａ１各々に対する選択操作に応じて小領域Ａ１を個別に選択状態に設定する。前記選択操作は、例えば、小領域Ａ１各々に対するタッチ操作である。前記タッチ操作はタッチパネル２１により検知される。選択処理部１６３は、前記選択操作に応じて、一又は複数の任意の小領域Ａ１を選択状態に設定することが可能である。例えば、選択処理部１６３は、互いに離れた２つの小領域Ａ１を選択領域に設定することが可能である。また、選択処理部１６３は、非選択状態の小領域Ａ１の周りを囲む複数の小領域Ａ１を選択領域に設定することが可能である。
【００２５】
なお、タッチパネル２１をタッチした状態でタッチ位置を移動させるスライド操作が行われた場合、選択処理部１６３は、タッチ位置が通過した複数の小領域Ａ１を選択状態に設定してもよい。また、選択処理部１６３は、すでに選択状態である小領域Ａ１に対する選択操作が再度行われた場合、当該小領域Ａ１を選択状態から非選択状態に戻してもよい。
【００２６】
プレビュー画面Ｐ１では、選択状態の小領域Ａ１と非選択状態の小領域Ａ１とが異なる表示態様で表示される。例えば、図４に示されるように、非選択状態の小領域Ａ１の輪郭線が細い鎖線で表示されるのに対して、選択状態の小領域Ａ１各々の輪郭線は太い実線で表示される。なお、他の実施形態では、例えば、選択状態の小領域Ａ１の輪郭線が、非選択状態の小領域Ａ１の輪郭線とは異なる色で表示されてもよい。
【００２７】
決定処理部１６４は、選択状態に設定されている一又は複数の小領域Ａ１から成る対象領域に対する処理内容を決定する。前記処理内容は、例えば、「複製」、「移動」、「削除」、「保存」、「印刷」、「塗り潰し」、「ぼかし」、「色調変更」などである。「複製」は、前記対象領域と同じ画像を前記プレビュー画像内の他の場所に上書きする処理である。「移動」は、前記対象領域の画像を前記プレビュー画像内の他の場所に移動させる処理である。「削除」は、前記対象領域の画像を前記プレビュー画像から削除する処理である。「保存」は、前記対象領域の画像に対応する画像データを記憶部１５に保存する処理である。「印刷」は、前記対象領域の画像をシートに印刷する処理である。「塗り潰し」は、前記対象領域の画像を特定色（例えば、黒色）に置換する処理である。「ぼかし」は、前記対象領域の画像をぼかす処理である。「色調変更」は、前記対象領域の画像の色調を変更する処理（例えば、前記対象領域の画像を明るくする処理、鮮やかにする処理など）である。
【００２８】
例えば、決定処理部１６４は、プレビュー画面Ｐ１に含まれるソフトキー（すなわち、複製キーＫ１、移動キーＫ２、削除キーＫ３、グループ化キーＫ４、グループ解除キーＫ５、保存キーＫ６、及び印刷キーＫ７）の操作に応じて、前記対象領域に対する処理内容を決定する。
【００２９】
画像処理部１６５は、決定処理部１６４により決定される処理内容に応じて前記画像データを処理する。例えば、図４に示されるプレビュー画面Ｐ１において移動キーＫ２が操作されて、ユーザーにより前記対象領域の移動先が指定された場合、画像処理部１６５は、前記対象領域の画像をユーザーが指定した移動先へと移動させる。その結果、図５に示されるように、前記対象領域の画像が移動される。
【００３０】
グループ化処理部１６６は、予め定められたグループ化操作（例えば、グループ化キーＫ４の操作）が行われるごとに、前記グループ化操作が行われた時点において選択状態に設定されている一又は複数の小領域Ａ１から成る領域を１つの対象領域として確定させる。例えば、図６に示されるプレビュー画面Ｐ１においてグループ化キーＫ４が操作された場合、グループ化処理部１６６は、図６において選択状態に設定されている複数の小領域Ａ１（すなわち、輪郭線が太い実線で表示されている複数の小領域Ａ１）からなる領域を１つの対象領域として確定させる。表示処理部１６２は、グループ化処理部１６６により確定された対象領域に含まれる小領域Ａ１各々を、前記対象領域外の小領域Ａ１とは異なる表示態様で表示する。例えば、表示処理部１６２は、図７に示されるように、前記対象領域に含まれる小領域Ａ１各々に、前記対象領域に対応する識別情報として「１」を表示する。なお、他の実施形態では、表示処理部１６２は、前記対象領域に含まれる小領域Ａ１各々の輪郭線の色を、前記対象領域外の小領域Ａ１の輪郭線とは異なる色に変更してもよい。
【００３１】
図８に示されるプレビュー画面Ｐ１においてグループ化キーＫ４が操作された場合、グループ化処理部１６６は、図８において選択状態に設定されている複数の小領域Ａ１（すなわち、輪郭線が太い実線で表示されている複数の小領域Ａ１）からなる領域を１つの対象領域として確定させる。そして、表示処理部１６２は、図９に示されるように、前記対象領域に含まれる小領域Ａ１各々に、前記識別情報の一例として「２」を表示する。このように、表示処理部１６２は、グループ化処理部１６６により確定された対象領域に含まれる小領域Ａ１各々を、対象領域ごとに異なる表示態様で表示してもよい。これにより、ユーザーは、複数の対象領域を相互に判別することができる。なお、他の実施形態では、表示処理部１６２は、前記対象領域に含まれる小領域Ａ１各々の輪郭線の色を、前記対象領域ごとに異ならせてもよい。
【００３２】
画像処理部１６５は、複数回の前記グループ化操作に応じて複数の前記対象領域が設定されている状態で、決定処理部１６４により前記処理内容が「保存」又は「印刷」に決定された場合に、前記対象領域各々の画像を異なる画像データとして保存又は異なるシートに印刷してもよい。例えば、図９に示されるプレビュー画面Ｐ１において保存キーＫ６が操作された場合、画像処理部１６５は、前記対象領域各々の画像を異なる画像データとして記憶部１５に保存する。また、図９に示されるプレビュー画面Ｐ１において印刷キーＫ７が操作された場合、画像処理部１６５は、画像形成部１３を制御して、前記対象領域各々の画像を異なるシートに印刷する。この結果、図１０に示されるように、「１」の識別情報に対応する対象領域の画像が形成されたシートＳｈ１と、「２」の識別情報に対応する対象領域の画像が形成されたシートＳｈ２とが、画像処理装置１から出力される。
【００３３】
変更処理部１６７は、一又は複数の小領域Ａ１が選択状態に設定されている状態で小領域Ａ１のサイズをユーザー操作に応じて変更する。例えば、変更処理部１６７は、プレビュー画面Ｐ１に含まれるドロップダウンリストＢ１に対するユーザー操作に応じて小領域Ａ１のサイズを変更する。
【００３４】
図１１に示されるプレビュー画面Ｐ１では、小領域Ａ１のサイズが「３２×３２」に設定されている状態で、７個の小領域Ａ１が選択状態に設定されている。この状態で、ドロップダウンリストＢ１で「１６×１６」が選択されると、図１２に示されるプレビュー画面Ｐ１のように、小領域Ａ１のサイズが「３２×３２」から「１６×１６」に変更される。これにより、サイズ変更前の小領域Ａ１各々が、４つの小領域Ａ１に細分化される。このとき、サイズ変更前に選択状態に設定されていた７個の小領域Ａ１に対応する２８個の小領域Ａ１は、選択状態に設定される。このように、小領域Ａ１のサイズを所望のサイズよりも大きいサイズに設定した状態で前記選択操作を行ってから、小領域Ａ１のサイズを所望のサイズに変更することによって、小領域Ａ１を効率良く選択することが可能である。
【００３５】
なお、図１１に示されるプレビュー画面Ｐ１における小領域Ａ１の縦及び横のサイズは３２（すなわち、２の５乗）画素であり、図１２に示されるプレビュー画面Ｐ１における小領域Ａ１の縦及び横のサイズは１６（すなわち、２の４乗）画素である。このように、小領域Ａ１の縦及び横のサイズが、２のＮ乗（ただし、Ｎは１以上の任意の整数）個の画素であれば、小領域Ａ１のサイズを小さくした場合に、サイズ変更前の全ての区切り線Ｌｘ，Ｌｙの位置が、サイズ変更後のいずれかの区切り線Ｌｘ，Ｌｙの位置と一致する。よって、サイズ変更前に選択状態に設定されていた一又は複数の小領域Ａ１から成る対象領域を、サイズ変更後も維持することが可能である。
【００３６】
［プレビュー処理］
次に、図１３を参照しつつ、制御部１６によって実行されるプレビュー処理の手順の一例について説明する。ここで、ステップＳ１，Ｓ２，・・・は、制御部１６により実行される処理手順（ステップ）の番号を表している。なお、前記プレビュー処理は、例えば、操作表示部１０に対する特定操作（例えば、原稿の画像データの読取開始操作、記憶部１５に記憶されている画像データの編集開始操作など）に応じて開始される。
【００３７】
＜ステップＳ１＞
まず、ステップＳ１において、制御部１６は、例えば、画像読取部１２に原稿の画像を読み取らせて、画像データを取得する。当該ステップＳ１の処理は、制御部１６の取得処理部１６１によって実行される。
【００３８】
＜ステップＳ２＞
ステップＳ２において、制御部１６は、前記ステップＳ１で取得された画像データに対応するプレビュー画像を含むプレビュー画面Ｐ１を操作表示部１０に表示させる。当該ステップＳ２の処理は、制御部１６の表示処理部１６２によって実行される。
【００３９】
＜ステップＳ３＞
ステップＳ３において、制御部１６は、タッチパネル２１からの出力信号に基づいて、前記プレビュー画像におけるいずれかの小領域Ａ１がタッチされたか否かを判断する。そして、いずれかの小領域Ａ１がタッチされたと判断されると（Ｓ３：Ｙｅｓ）、処理がステップＳ４に移行する。一方、いずれの小領域Ａ１もタッチされていないと判断されると（Ｓ３：Ｎｏ）、処理がステップＳ５に移行する。
【００４０】
＜ステップＳ４＞
ステップＳ４において、制御部１６は、タッチされた小領域Ａ１を選択状態に設定する。このとき、制御部１６は、選択状態に設定された小領域Ａ１を、非選択状態の小領域Ａ１とは異なる表示態様で表示してもよい。例えば、制御部１６は、選択状態に設定された小領域Ａ１の輪郭線を太い実線で表示してもよい。当該ステップＳ４の処理は、制御部１６の選択処理部１６３によって実行される。そして、処理がステップＳ５に移行する。
【００４１】
＜ステップＳ５＞
ステップＳ５において、制御部１６は、編集操作が行われたか否かを判断する。例えば、制御部１６は、プレビュー画面Ｐ１に含まれる複製キーＫ１、移動キーＫ２、及び削除キーＫ３のいずれかのソフトキーが操作された場合に、前記編集操作が行われたと判断する。そして、前記編集操作が行われたと判断されると（Ｓ５：Ｙｅｓ）、処理がステップＳ６に移行する。一方、前記編集操作が行われていないと判断されると（Ｓ５：Ｎｏ）、処理がステップＳ７に移行する。当該ステップＳ５の処理は、制御部１６の決定処理部１６４によって実行される。
【００４２】
＜ステップＳ６＞
ステップＳ６において、制御部１６は、選択状態に設定されている一又は複数の小領域Ａ１から成る対象領域に対して、前記編集操作の内容に応じた編集処理を行う。例えば、プレビュー画面Ｐ１に含まれる複製キーＫ１が操作された場合、制御部１６は、前記対象領域と同じ画像を前記プレビュー画像内のユーザーが指定した場所に上書きする。また、プレビュー画面Ｐ１に含まれる移動キーＫ２が操作された場合、制御部１６は、前記対象領域の画像を前記プレビュー画像内のユーザーが指定した場所に移動させる。また、プレビュー画面Ｐ１に含まれる削除キーＫ３が操作された場合、制御部１６は、前記対象領域の画像を前記プレビュー画像から削除する。当該ステップＳ６の処理は、制御部１６の画像処理部１６５によって実行される。そして、処理がステップＳ７に移行する。
【００４３】
＜ステップＳ７＞
ステップＳ７において、制御部１６は、グループ化操作が行われたか否かを判断する。例えば、制御部１６は、プレビュー画面Ｐ１に含まれるグループ化キーＫ４が操作された場合に、前記グループ化操作が行われたと判断する。そして、前記グループ化操作が行われたと判断されると（Ｓ７：Ｙｅｓ）、処理がステップＳ８に移行する。一方、前記グループ化操作が行われていないと判断されると（Ｓ７：Ｎｏ）、処理がステップＳ９に移行する。
【００４４】
＜ステップＳ８＞
ステップＳ８において、制御部１６は、選択状態に設定されている一又は複数の小領域Ａ１をグループ化して、１つの対象領域として確定させる。このとき、制御部１６は、確定された対象領域に対応する一又は複数の小領域Ａ１の各々に、前記対象領域に対応する識別情報を表示してもよい。当該ステップＳ８の処理は、制御部１６のグループ化処理部１６６によって実行される。そして、処理がステップＳ９に移行する。
【００４５】
なお、図１３に示されるフローチャートでは省略されているが、プレビュー画面Ｐ１に含まれるグループ解除キーＫ５が操作された場合、制御部１６は、前記ステップＳ８でグループ化された一又は複数の小領域Ａ１を、グループ化される前の状態（すなわち、前記識別情報が表示されておらず、選択状態に設定されている状態）に戻す。
【００４６】
＜ステップＳ９＞
ステップＳ９において、制御部１６は、保存操作又は印刷操作が行われたか否かを判断する。例えば、制御部１６は、プレビュー画面Ｐ１に含まれる保存キーＫ６又は印刷キーＫ７が操作された場合に、前記保存操作又は前記印刷操作が行われたと判断する。そして、前記保存操作又は前記印刷操作が行われたと判断されると（Ｓ９：Ｙｅｓ）、処理がステップＳ１０に移行する。一方、前記保存操作又は前記印刷操作が行われていないと判断されると（Ｓ９：Ｎｏ）、処理が前記ステップＳ３に戻る。
【００４７】
＜ステップＳ１０＞
ステップＳ１０において、制御部１６は、前記プレビュー画像に、前記ステップＳ８でグループ化された対象領域が含まれているか否かを判断する。そして、前記プレビュー画像にグループ化された対象領域が含まれていると判断されると（Ｓ１０：Ｙｅｓ）、処理がステップＳ１２に移行する。一方、前記プレビュー画像にグループ化された対象領域が含まれていないと判断されると（Ｓ１０：Ｎｏ）、処理がステップＳ１１に移行する。
【００４８】
＜ステップＳ１１＞
ステップＳ１１において、制御部１６は、選択状態に設定されている一又は複数の小領域Ａ１の画像を保存又は印刷する。例えば、プレビュー画面Ｐ１に含まれる保存キーＫ６が操作された場合、制御部１６は、選択状態に設定されている一又は複数の小領域Ａ１から成る対象領域の画像を、画像データとして記憶部１５に保存する。また、プレビュー画面Ｐ１に含まれる印刷キーＫ７が操作された場合、制御部１６は、画像形成部１３を制御して、前記対象領域の画像をシートに印刷する。なお、選択状態に設定されている小領域Ａ１が１つも存在しない状態でプレビュー画面Ｐ１に含まれる保存キーＫ６が操作された場合、制御部１６は、前記プレビュー画像全体を１つの画像データとして記憶部１５に保存してもよい。また、選択状態に設定されている小領域Ａ１が１つも存在しない状態でプレビュー画面Ｐ１に含まれる印刷キーＫ７が操作された場合、制御部１６は、前記プレビュー画像全体をシートに印刷してもよい。そして、前記プレビュー処理が終了される。
【００４９】
＜ステップＳ１２＞
一方、ステップＳ１２において、制御部１６は、前記ステップＳ８でグループ化された対象領域ごとに、前記対象領域の画像を保存又は印刷する。例えば、プレビュー画面Ｐ１に含まれる保存キーＫ６が操作された場合、制御部１６は、前記ステップＳ８でグループ化された対象領域ごとに異なる画像データとして、前記対象領域の画像を記憶部１５に記憶させる。また、プレビュー画面Ｐ１に含まれる印刷キーＫ７が操作された場合、制御部１６は、画像形成部１３を制御して、前記ステップＳ８でグループ化された対象領域ごとに異なるシートに、前記対象領域の画像を印刷する。このとき、前記ステップＳ８でグループ化された対象領域ごとに、ユーザー操作に応じて印刷条件（例えば、濃度、倍率、画像の向き、シートの種類など）が個別に設定されてもよい。そして、前記プレビュー処理が終了される。
【００５０】
以上のように、本実施形態に係る画像処理装置１では、プレビュー画像が複数の小領域Ａ１に区切られており、小領域Ａ１各々に対する選択操作に応じて小領域Ａ１を個別に選択状態に設定することが可能である。よって、本実施形態に係る画像処理装置１によれば、プレビュー画像に対する簡単な操作で輪郭形状が複雑な領域を画像処理すべき対象領域として指定することが可能である。
【００５１】
なお、本実施形態では小領域Ａ１の形状が矩形であるが、本発明はこれに限定されない。他の実施形態では、小領域Ａ１の形状が三角形又は六角形であってもよい。
【符号の説明】
【００５２】
１  画像処理装置
１０  操作表示部
１１  ＡＤＦ
１２  画像読取部
１３  画像形成部
１６  制御部
１６１  取得処理部
１６２  表示処理部
１６３  選択処理部
１６４  決定処理部
１６５  画像処理部
１６６  グループ化処理部
１６７  変更処理部
【図１】
2019114933.tif 000003
【図２】
2019114933.tif 000004
【図３】
2019114933.tif 000005
【図４】
2019114933.tif 000006
【図５】
2019114933.tif 000007
【図６】
2019114933.tif 000008
【図７】
2019114933.tif 000009
【図８】
2019114933.tif 000010
【図９】
2019114933.tif 000011
【図１０】
2019114933.tif 000012
【図１１】
2019114933.tif 000013
【図１２】
2019114933.tif 000014
【図１３】
2019114933.tif 000015